(57)【要約】【課題】  余計な部品を使わずに非常に簡単な構成で感光体に対して斜め上方から装着でき、帯電器の収納部に安定して固定できるようにして、帯電器を容易に装着、取り外しできる画像形成装置における帯電装置を提供することが課題である。【解決手段】  略長方形状の帯電器と、前記帯電器の一端に長手方向と略直交する方向に突出して配置されたつめ部と、前記帯電器を収納する本体側に設けられた収納部と、前記帯電器の一端が挿入される前記収納部に設けられた第１開口部と、前記帯電器の他端が挿入される前記収納部に設けられた第２開口部と、前記収納部における第１開口部に斜めに前記帯電器が挿入された状態で前記つめ部と非係合状態となり、前記収納部の第２開口部に前記帯電器における他端が挿入されて該第２開口部方向に移動した状態で前記つめ部と係合状態になる係止部とで帯電装置を構成した。【選択図】      図２
2006119246.tif 000002
【特許請求の範囲】
【請求項１】
略長方形状の帯電器と、
前記帯電器の一端に長手方向と略直交する方向に突出して配置されたつめ部と、
前記帯電器を収納する本体側に設けられた収納部と、
前記帯電器の一端が挿入される前記収納部に設けられた第１開口部と、
前記帯電器の他端が挿入される前記収納部に設けられた第２開口部と、
前記収納部における第１開口部に斜めに前記帯電器が挿入された状態で前記つめ部と非係合状態となり、前記収納部の第２開口部に前記帯電器における他端が挿入されて該第２開口部方向に移動した状態で前記つめ部と係合状態になる係止部と、
を設けたことを特徴とする画像形成装置における帯電装置。
【請求項２】
前記帯電器におけるつめ部は、前記帯電器における一端側に帯電器側壁と平行する部位にバネ性を有して設けられ、帯電器と対向する側に前記係止部と係止する凸部を有することを特徴とする請求項１に記載した画像形成装置における帯電装置。
【請求項３】
前記収納部における係止部は、前記収納部から前記帯電器の長手方向と略直交する方向に突出し、前記つめ部と係合する壁部と、該壁部に連設され、前記つめ部を帯電器側に押圧する押圧部とで構成されることを特徴とする請求項１または２に記載した画像形成装置における帯電装置。
【発明の詳細な説明】
【技術分野】
【０００１】
本発明は、電子写真方式を利用した複写機、プリンタ、ファクシミリ、それらの複合機などの画像形成装置における帯電装置に関し、特に画像形成装置本体に着脱可能としたコロトロン方式やスコロトロン方式の画像形成装置における帯電装置に関するものである。
【背景技術】
【０００２】
電子写真方式を利用した複写機、プリンタ、ファクシミリ、それらの複合機などの画像形成装置においては、感光体（像担持体）を一様に帯電させた後画像データによって露光して潜像を形成し、その潜像をトナーによって現像してトナー像を得るが、そのトナー像の濃度は、静電潜像を形成する感光体の表面電位に大きく依存する。そのため、再現性良く適正な濃度の画像を得るためには、感光体（像担持体）に再現性良く所定の表面電位を一様に与える必要がある。
【０００３】
こういった帯電器には、感光体（像担持体）に対向してその幅方向に帯電ワイヤを延設し、この帯電ワイヤに高電圧を印加することによって感光体（像担持体）表面を帯電させるコロトロン方式、このコロトロン方式帯電器におけるシールドケースの開放部に、スコロトロンと呼ばれる帯電制御用グリッドを設けてバイアス電圧を印加するスコロトロン方式などがある。
【０００４】
このうちスコロトロン方式の帯電器は、帯電制御用グリッドを設けたことにより、感光体（像担持体）表面の帯電電位ムラを低減することができるが、これらコロトロンやスコロトロン方式の帯電器は、放電により発生したオゾンや窒素酸化物等の放電生成物がシールドケース内に滞留し、帯電ワイヤに付着して放電ムラを生じる恐れがあり、また、発生した窒素酸化物等は、比較的重い物質であるから感光体（像担持体）に付着して不具合を生じる懸念もある。
【０００５】
そのためこういったコロトロンやスコロトロン方式の帯電器は、随時、清掃や点検等のために着脱ができるようにすることが必要であり、そのため従来では、例えば図５に一例を示したように、帯電器６１を傾けて端部に設けた凸部６２を画像形成装置におけるプロセスユニットの本体フレーム６３に設けた帯電器装着用開口６４に差し込み、帯電器６１を水平に戻して帯電器装着用開口６４とは逆側に設けた開口方向に移動させて保持できるようにした後、ユニット本体フレーム６３の外部から帯電器固定部材６５で固定するなどの方法が取られていた。
【０００６】
しかしこの方法では、帯電器固定部材６５自体の脱落を防止するため、強固にユニット本体フレーム６３に固定する必要があり、例えば帯電器６１における帯電ワイヤが汚れたり断線してユニット本体フレーム６３から外す場合、工具を用いて取り外す必要があって帯電器交換の工数や工具が必要となり、また、帯電器固定部材６５自体もコスト増加の要因となる。
【０００７】
こういった帯電器のユニット本体フレームへの固定方法としては、例えば特許文献１に、帯電器を支持部へ差し込み、他端側で位置決め固定するようにした帯電装置が示され、特許文献２には、帯電器一端を付き当て部材に差し込み、上から収納位置に装着するようにした帯電装置が示されている。また特許文献３には、帯電器を横方向から装着して全ての電気的接続を可能とし、合わせて板バネによって帯電器を定位置に固定するようにした画像形成装置が示され、特許文献４には、帯電器の両端にフックを設け、収納側にフックに係合する係合穴を設けて位置決め固定する帯電器の支持構造が示されている。
【０００８】
【特許文献１】特開平６−６７５１３号公報
【特許文献２】特開平７−２１９３０９号公報
【特許文献３】特開平８−１４６７１５号公報
【特許文献４】実開平２−６４９５７号公報
【発明の開示】
【発明が解決しようとする課題】
【０００９】
しかしながら、特許文献１に示された帯電装置は、帯電器を支持部へ差し込んだ後、ネジ等で固定する必要があって帯電器交換の工数や工具が必要となり、特許文献２に示された帯電装置は固定が不安定で帯電が安定しない可能性がある。また特許文献３、特許文献４に示された帯電装置は、画像形成装置が横方向（特許文献３）、又は感光体の半径方向（特許文献４）から帯電装置を挿入できるようになっている場合はよいが、例えば斜め上方から装着することしかできない構造の画像形成装置においては採用することができない。
【００１０】
そのため本発明においては、余計な部品を使わずに非常に簡単な構成で感光体に対して斜め上方から装着でき、帯電器の収納部に安定して固定できるようにして、帯電器を容易に装着、取り外しできる画像形成装置における帯電装置を提供することが課題である。
【課題を解決するための手段】
【００１１】
上記課題を解決するため本発明においては、
略長方形状の帯電器と、
前記帯電器の一端に長手方向と略直交する方向に突出して配置されたつめ部と、
前記帯電器を収納する本体側に設けられた収納部と、
前記帯電器の一端が挿入される前記収納部に設けられた第１開口部と、
前記帯電器の他端が挿入される前記収納部に設けられた第２開口部と、
前記収納部における第１開口部に斜めに前記帯電器が挿入された状態で前記つめ部と非係合状態となり、前記収納部の第２開口部に前記帯電器における他端が挿入されて該第２開口部方向に移動した状態で前記つめ部と係合状態になる係止部と、
を設けたことを特徴とする。
【００１２】
このように、帯電器を収納部における第１開口部に挿入するときは斜めに挿入することで非係合状態となり、帯電器の他端側を第２開口部に挿入して（すなわち、帯電器を第１開口部と第２開口部の両方に挿入できる状態とする）第２開口部側に移動させたときに係合状態となるつめ部を設けたことで、余計な部品を使わずに非常に簡単な構成で感光体に対して斜め上方から装着でき、帯電器を収納部に安定して固定できるようにして、帯電器を容易に装着、取り外しできる画像形成装置における帯電装置を提供することができる。
【００１３】
そして、前記帯電器におけるつめ部は、前記帯電器における一端側に帯電器側壁と平行する部位にバネ性を有して設けられ、帯電器と対向する側に前記係止部と係止する凸部を有していることで、簡単な構成でバネ性を持たせて構成できる。
【００１４】
また、前記収納部における係止部は、前記収納部から前記帯電器の長手方向と略直交する方向に突出し、前記つめ部と係合する壁部と、該壁部に連設され、前記つめ部を帯電器側に押圧する押圧部とで構成されたことで、斜めに挿入された帯電器におけるつめ部を連接した押圧部で押圧して容易に非係合状態にすることができ、帯電器を容易に装着したり取り外したりできる画像形成装置における帯電装置を提供することができる。
【発明の効果】
【００１５】
本発明によれば、余計な部品を使わずに非常に簡単な構成で感光体に対して斜め上方から装着でき、帯電器の収納部に安定して固定できるようにして、帯電器を容易に装着、取り外しできる画像形成装置における帯電装置を提供することができる。
【発明を実施するための最良の形態】
【００１６】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【００１７】
図１（ａ）は実施形態の画像形成装置における帯電装置の全体斜視図であり、図１（ｂ）は図１（ａ）にＡで示した帯電器のユニット本体フレームとの係合部の拡大図、図２は、図１に示した帯電器のユニット本体フレームへの装着状態を帯電器押さえバネを除いて示した図、図３は帯電器のユニット本体フレームへの装着方法を説明するための図、図４はユニット本体フレームへ装着された帯電器の取り外し方法を説明するための図である。図中、同一構成要素には、同一番号を付してある。
【００１８】
図１（ａ）は実施形態の画像形成装置における帯電装置の全体斜視図であり、１は略長方形状に形成されて内部に帯電ワイヤが延設され、この帯電ワイヤに高電圧を印加することによって感光体（像担持体）表面を帯電させるコロトロン方式、またはスコロトロン方式の帯電器ケース、２は、画像形成装置における帯電装置を装着するユニットフレームにこの帯電器ケース１を装着する際、後記する係止部と係合して帯電器ケース１を固定するためのつめ部、３は同じく帯電装置を装着するユニットフレームにこの帯電器ケース１を装着した際、帯電器ケース１を感光体側に押圧する帯電器押さえバネ、９は同じく帯電器ケース１の他端側を感光体側に押圧する帯電器押さえバネである。
【００１９】
帯電器ケース１のつめ部２は、図１（ａ）にＡで示したつめ部２付近を拡大した図１（ｂ）に示したように、帯電器ケース１における端部で長手方向と略直交する方向に突出し、帯電器ケース１の側壁と平行する部位にバネ性を有して設けられており、帯電器側壁と平行に形成された部位の端部に、前記係止部と係止する凸部２１が設けられている。
【００２０】
また図２に示したように、画像形成装置における帯電装置を装着するユニット本体フレーム４には、感光体６における半径方向にこの帯電器ケース１を収容する収納部４１が設けられ、その収納部４１に、帯電器ケース１の長手方向と略直交する方向に突出し、前記つめ部２の凸部２１と係合する壁部５１と、該壁部５１に連設され、前記つめ部２を帯電器ケース１側に押圧する押圧部５２とで構成され、前記つめ部２における凸部２１と係合する係止部５が設けられている。なお、この図２においては、収納部４１への帯電器ケース１の収納状態を明確に示すため、帯電器ケース１の前記帯電器押さえバネ３は省略してある。
【００２１】
一方、この帯電器ケース１を装着する画像形成装置におけるユニット本体フレーム４には、図３に示したように、この帯電器ケース１を収納するための収納部４１に、第１の開口７と、逆側に第２の開口８が設けられており、帯電器ケース１を斜めにしてつめ部２が設けられた側を、図３に矢印１１で示したように第１の開口７に挿入できるようになっている。このときつめ部２は、係止部５に設けられた押圧部５１で帯電器ケース１の側壁側に押しつけられ、係止部５における壁部５１で係止されることはない。
【００２２】
この状態から、図３における矢印１２のようにして帯電器ケース１をユニット本体フレーム４の収納部４１に収納し、矢印１３のようにして第２の開口８方向に移動させると、つめ部２も移動してこのつめ部２が押圧部５２から外れ、つめ部２における凸部２１がユニット本体フレーム４側の係止部５における壁部５１側に飛び出し、この壁部５１で係止される。そのため帯電器ケース１は、矢印１３と逆方向への移動ができないようになり、また、帯電器押さえバネ３、９で感光体６方向に押されて固定される。
【００２３】
そして帯電器ケース１を収納部４１から取り外すときは、図４に示したように、帯電器ケース１におけるつめ部２を帯電器ケース１の側壁側に矢印１４のように押圧し、そのまま矢印１５のように帯電器ケース１を第１の開口７側に押すと、つめ部２の凸部２１が係止部５の押圧部５２に乗りあげる。そのため、帯電器ケース１の反対側端部が第２の開口８から外れた時点で矢印１６のように持ち上げると、図３に示したような状態にすることができる。
【００２４】
そのため、図３における矢印１１とは逆方向に帯電器ケース１を引くと、帯電器ケース１はそのままユニット本体フレーム４から取り外すことができる。
【００２５】
このようにつめ部２は、帯電器ケース１を収納部４１における第１開口部７に挿入するときは斜めに挿入することで係止部５と非係合状態となり、帯電器ケース１の他端側を第２開口部８に挿入して（すなわち、帯電器ケース１を第１開口部７と第２開口部８の両方に挿入できる状態とする）、第２開口部８側に移動させたときに係合状態となるから、余計な部品を使わずに非常に簡単な構成で感光体６に対して斜め上方から装着でき、帯電器ケース１を収納部４１に安定して固定することができると共に、帯電器ケース１を容易に装着、取り外しできる画像形成装置における帯電装置を提供することができる。
【００２６】
そして、前記帯電器ケース１におけるつめ部２は、帯電器ケース１における一端側に帯電器ケース１の側壁と平行する部位にバネ性を有して設けられ、帯電器ケース１と対向する側に係止部５と係止する凸部２１を有していることで、簡単な構成でバネ性を持たせて構成できる。
【００２７】
また、収納部４１における係止部５は、収納部４１から帯電器ケース１の長手方向と略直交する方向に突出し、前記つめ部２と係合する壁部５１と、該壁部５１に連設され、前記つめ部２を帯電器ケース１側に押圧する押圧部５２とで構成されたことで、斜めに挿入された帯電器ケース１におけるつめ部２を連接した押圧部５２で押圧して容易に非係合状態にすることができ、帯電器ケース１を容易に装着したり取り外したりできる画像形成装置における帯電装置を提供することができる。
【産業上の利用可能性】
【００２８】
本実施形態によれば、余計な部品を使わずに非常に簡単な構成で感光体に対して斜め上方から装着でき、帯電器の収納部に安定して固定できるようにした帯電装置を提供することができる。
【図面の簡単な説明】
【００２９】
【図１】（ａ）は実施形態の画像形成装置における帯電器の全体斜視図であり、図１（ｂ）は図１（ａ）にＡで示した帯電器のユニット本体フレームとの係合部の拡大図である。
【図２】図１に示した帯電器のユニット本体フレームへの装着状態を帯電器押さえバネを除いて示した図である。
【図３】帯電器のユニット本体フレームへの装着方法を説明するための図である。
【図４】ユニット本体フレームへ装着された帯電器の取り外し方法を説明するための図である。
【図５】従来の帯電器の装着状態を示す図である。
【符号の説明】
【００３０】
１  帯電器ケース
１１、１２、１３  矢印
１４、１５、１６  矢印
２  つめ部
２１  凸部
３  帯電器押さえバネ
４  ユニット本体フレーム
４１  帯電器収納部
５  係止部
５１  壁部
５２  押圧部
６  感光体
【図１】
2006119246.tif 000003
【図２】
2006119246.tif 000004
【図３】
2006119246.tif 000005
【図４】
2006119246.tif 000006
【図５】
2006119246.tif 000007